(57)【要約】【課題】遅延広がりが大きい場合であっても、ガード越え遅延波を十分に抑圧することが可能なダイバーシチ受信器を提供する。【解決手段】直交周波数分割多重信号を受信して受信信号を出力するアンテナ５−１〜５−Ｎと、ＦＦＴ１０−１〜１０−Ｎとの間にガード越え遅延波抑圧器５０を設ける。ガード越え遅延波抑圧器５０は、ＦＦＴ１０−１〜１０−Ｎからの出力信号の入力を受ける伝搬路推定手段１５−１〜１５−Ｎからの伝搬路推定情報に基づいて受信信号に対する重み係数を算出する重み係数算出計算器と、重み係数算出部で算出された重み係数に基づいて、受信信号の遅延波を抑圧するために複数のアンテナからの受信信号を合成する合成器とを含む。【選択図】図１
2010045679.tif 000002
【特許請求の範囲】
【請求項１】
直交周波数分割多重信号を受信して受信信号を出力する複数のアンテナと、
前記受信信号に対して遅延広がりの有無に応じてフィルタ処理を施す遅延波抑圧手段と、
前記複数のアンテナにそれぞれ対応して設けられ、前記遅延波抑圧回路の出力信号に対してフーリエ変換を施す複数のＦＦＴと、
前記複数のＦＦＴにそれぞれ対応して設けられ、各々が前記複数のＦＦＴからの出力信号に基づいて伝搬路推定情報を出力する複数の伝搬路推定手段と、
前記複数の伝搬路推定手段を通過した前記複数のＦＦＴの出力信号を合成して復調を行なう合成手段とを備え、
前記遅延波抑圧手段は、
前記複数の伝搬路推定手段からの伝搬路推定情報に基づいて前記複数のアンテナからの受信信号に対する重み係数を算出する重み係数算出手段と、
前記重み係数算出部で算出された重み係数に基づいて、前記受信信号の遅延波を抑圧するために前記複数のアンテナからの受信信号を合成する合成手段とを含む、ダイバーシチ受信機。
【請求項２】
前記遅延波抑圧手段は、Ｋ個の遅延波を抑圧するために複数（Ｎ）のアンテナのうち少なくとも（Ｋ＋１）個のアンテナで構成される複数個（Ｎ）の互いに異なる組み合わせを選択する選択手段をさらに含み、
前記重み係数算出部は、前記複数（Ｎ）のアンテナにそれぞれ対応して設けられ、各々が、選択された前記少なくとも（Ｋ＋１）個のアンテナの受信信号にそれぞれ対応する伝搬路推定手段からの伝搬路推定情報に基づいて、前記少なくとも（Ｋ＋１）個のアンテナからの受信信号に対する重み係数を算出する複数の重み付け算出ユニットを含み、
前記合成手段は、前記複数の重み付け算出ユニットにそれぞれ対応して設けられ、各々が、対応する重み付け算出ユニットで算出された重み係数に基づいて、前記少なくとも（Ｋ＋１）個のアンテナからの受信信号を合成する複数の合成ユニットを含む、請求項１記載のダイバーシチ受信機。
【請求項３】
前記選択手段は、前記複数（Ｎ）のアンテナのうち前記少なくとも（Ｋ＋１）個のアンテナで構成される互いに異なる組み合わせの中から、前記少なくとも（Ｋ＋１）個のアンテナで受信した受信信号の合成信号が大きいものから複数個（Ｎ）の組み合わせを選択する、請求項２記載のダイバーシチ受信機。
【請求項４】
前記複数の伝搬路推定手段の伝搬路推定情報に基づいて、前記受信信号に対する遅延広がりの有無を判定する判定部をさらに備える、請求項１記載のダイバーシチ受信機。
【請求項５】
前記複数の伝搬路推定手段の伝搬路推定情報に基づいて、前記受信信号に対する遅延広がりの有無を判定するとともに、抑圧する遅延波の個数（Ｋ）を判定する判定部をさらに備える、請求項２記載のダイバーシチ受信機。
【請求項６】
直交周波数分割多重信号を受信して受信信号を出力する複数のアンテナと、
前記複数のアンテナにそれぞれ対応して設けられ、対応するアンテナの受信信号に対してフーリエ変換を施す複数のＦＦＴと、
前記複数のＦＦＴにそれぞれ対応して設けられ、各々が前記複数のＦＦＴからの出力信号に基づいて伝搬路推定情報を出力する複数の伝搬路推定手段と、
前記複数のＦＦＴからの出力信号に対して、遅延広がりの有無に応じてフィルタ処理を施す遅延波抑圧手段と、
前記遅延波抑圧手段を通過した出力信号を合成して復調を行なう合成手段とを備え、
前記遅延波抑圧手段は、
前記複数の伝搬路推定手段からの伝搬路推定情報に基づいて、前記複数のＦＦＴからの出力信号に対する重み係数を算出する重み係数算出手段と、
前記重み係数算出部で算出された重み係数に基づいて、遅延波を抑圧するために前記複数のＦＦＴからの出力信号を合成する合成手段とを含む、ダイバーシチ受信機。
【請求項７】
前記複数のＦＦＴからの出力信号の各々は、サブキャリア数に応じた出力信号群に相当し、
前記遅延波抑圧手段は、Ｋ個の遅延波を抑圧するために複数の出力信号群のうち少なくとも（Ｋ＋１）個の出力信号群で構成される複数個の互いに異なる組み合わせを選択する選択手段をさらに含み、
前記重み係数算出部は、前記複数（Ｎ）の伝搬路推定手段にそれぞれ対応して設けられ、各々が、選択された前記少なくとも（Ｋ＋１）個の出力信号群にそれぞれ対応する伝搬路推定手段からの伝搬路推定情報に基づいて、前記少なくとも（Ｋ＋１）個の出力信号群に対する重み係数を算出する複数の重み付け算出ユニットを含み、
前記合成手段は、前記複数の重み付け算出ユニットにそれぞれ対応して設けられ、各々が、対応する重み付け算出ユニットで算出された重み係数に基づいて、前記少なくとも（Ｋ＋１）個の出力信号群を合成する複数の合成ユニットを含む、請求項６記載のダイバーシチ受信機。
【請求項８】
前記選択手段は、前記複数（Ｎ）の出力信号群のうち前記少なくとも（Ｋ＋１）個の出力信号群で構成される互いに異なる組み合わせの中から、前記少なくとも（Ｋ＋１）個の出力信号群の合成信号が大きいものから複数個（Ｎ）の組み合わせを選択する、請求項７記載のダイバーシチ受信機。
【請求項９】
前記複数の伝搬路推定手段の伝搬路推定情報に基づいて、前記複数のＦＦＴからの出力信号に対して、遅延広がりの有無を判定する判定部をさらに備える、請求項６記載のダイバーシチ受信機。
【請求項１０】
前記複数の伝搬路推定手段の伝搬路推定情報に基づいて、前記複数のＦＦＴからの出力信号に対して、遅延広がりの有無を判定するとともに、抑圧する遅延波の個数（Ｋ）を判定する判定部をさらに備える、請求項７記載のダイバーシチ受信機。
【発明の詳細な説明】
【技術分野】
【０００１】
本発明は、直交周波数分割多重（ＯＦＤＭ）の無線通信システムで用いられるダイバーシチ受信機に関する。
【背景技術】
【０００２】
日本の地上ディジタルテレビジョン放送では、変調方式にＯＦＤＭを採用することによって、情報伝送速度の高速化を実現すると同時に、ゴースト波などの遅延干渉波に対してロバストとしている。ＯＦＤＭでは、周波数軸上で互いに直交する複数のサブキャリアにデータを割り当てて変調を行なう。ＯＦＤＭ無線通信システムの送信側では、周波数領域の信号を時間領域の信号に変換するための逆高速フーリエ変換（ＩＦＦＴ）処理を行ない、受信側では時間領域の信号を周波数領域の信号に戻すための高速フーリエ変換（ＦＦＴ）処理を行なう。
【０００３】
ＯＦＤＭにおいて、各サブキャリアの変調には任意の変調方式を用いることが可能であり、例えば同期検波による伝送や遅延検波による伝送が可能である。同期検波においては、送信側で周波数軸上及び時間軸上の所定位置に振幅及び位相が既知のパイロット信号を挿入する。受信側ではパイロット信号を抽出して振幅及び位相を測定し、既知の振幅及び位相との誤差を求める。この誤差検出結果に応じて、受信信号の振幅及び位相の等化をサブキャリア単位で行う。遅延検波においては、送信側で差動符号化された信号に対し、受信シンボル間で差動復号を行うことにより、受信信号を復調する。
【０００４】
ＯＦＤＭにおいて受信品質を改善するために、複数のアンテナを用いる空間ダイバーシチは非常に有効である。空間ダイバーシチの一つとして、各アンテナで受信した信号を同相にして合成する合成ダイバーシチがある。
【０００５】
この点で、特許文献１においては、デジタルフィルタをＦＦＴよりも前に設けて、受信信号の遅延広がりを等価的に低減してダイバーシチ利得を大きくするとともに、回路規模を縮小する方式が開示されている。
【特許文献１】特開２００７−６２６４号公報
【発明の開示】
【発明が解決しようとする課題】
【０００６】
しかしながら、上記特許文献１における手法は、予め設定されたガードインターバル期間内における遅延広がりを想定したものであり、ガードインターバル期間を超える遅延波（以下、ガード越え遅延波）に対処するものではない。
【０００７】
一般的に合成ダイバーシチの手法として、平均二乗誤差を最小にするＭＭＳＥ（Minimum Mean Square Error）合成と、最大比合成であるＭＲＣ（Maximum Ratio Combining）合成とが挙げられる。
【０００８】
合成ダイバーシチを利用する場合、ガード越え遅延波が無い場合には、ダイバーシティ利得および回路規模が簡易であるという面で有利なＭＲＣ合成が優れているが、ガード越え遅延波が有る場合には、遅延干渉波の影響を抑制する面で有利なＭＭＳＥ合成を実行することが望ましい。
【０００９】
したがって、ガード越え遅延波を抑制するためには、受信機において、両方の機能を備えて、ガード越え遅延波の有無に基づいて切り替えることが考えられるが、両方の機能を備えると回路規模が大きくなるという問題がある。
【００１０】
本発明は、上記のような問題を解決するためになされたものであって、ガード越え遅延波を効果的に抑制するとともに、回路規模が小さいダイバーシチ受信機を提供することを目的とする。
【課題を解決するための手段】
【００１１】
本発明に係るダイバーシチ受信機は、直交周波数分割多重信号を受信して受信信号を出力する複数のアンテナと、受信信号に対して遅延広がりの有無に応じてフィルタ処理を施す遅延波抑圧手段と、複数のアンテナにそれぞれ対応して設けられ、遅延波抑圧回路の出力信号に対してフーリエ変換を施す複数のＦＦＴと、複数のＦＦＴにそれぞれ対応して設けられ、各々が複数のＦＦＴからの出力信号に基づいて伝搬路推定情報を出力する複数の伝搬路推定手段と、複数の伝搬路推定手段を通過した複数のＦＦＴの出力信号を合成して復調を行なう合成手段とを備える。遅延波抑圧手段は、複数の伝搬路推定手段からの伝搬路推定情報に基づいて複数のアンテナからの受信信号に対する重み係数を算出する重み係数算出手段と、重み係数算出部で算出された重み係数に基づいて、受信信号の遅延波を抑圧するために複数のアンテナからの受信信号を合成する合成手段とを含む。
【００１２】
好ましくは、遅延波抑圧手段は、Ｋ個の遅延波を抑圧するために複数（Ｎ）のアンテナのうち少なくとも（Ｋ＋１）個のアンテナで構成される複数個（Ｎ）の互いに異なる組み合わせを選択する選択手段をさらに含む。重み係数算出部は、複数（Ｎ）のアンテナにそれぞれ対応して設けられ、各々が、選択された少なくとも（Ｋ＋１）個のアンテナの受信信号にそれぞれ対応する伝搬路推定手段からの伝搬路推定情報に基づいて、少なくとも（Ｋ＋１）個のアンテナからの受信信号に対する重み係数を算出する複数の重み付け算出ユニットを含む。合成手段は、複数の重み付け算出ユニットにそれぞれ対応して設けられ、各々が、対応する重み付け算出ユニットで算出された重み係数に基づいて、少なくとも（Ｋ＋１）個のアンテナからの受信信号を合成する複数の合成ユニットを含む。
【００１３】
特に、選択手段は、複数（Ｎ）のアンテナのうち少なくとも（Ｋ＋１）個のアンテナで構成される互いに異なる組み合わせの中から、少なくとも（Ｋ＋１）個のアンテナで受信した受信信号の合成信号が大きいものから複数個（Ｎ）の組み合わせを選択する。
【００１４】
好ましくは、複数の伝搬路推定手段の伝搬路推定情報に基づいて、受信信号に対する遅延広がりの有無を判定する判定部をさらに備える。
【００１５】
特に、複数の伝搬路推定手段の伝搬路推定情報に基づいて、受信信号に対する遅延広がりの有無を判定するとともに、抑圧する遅延波の個数（Ｋ）を判定する判定部をさらに備える。
【００１６】
本発明に係る別のダイバーシチ受信機は、直交周波数分割多重信号を受信して受信信号を出力する複数のアンテナと、
複数のアンテナにそれぞれ対応して設けられ、対応するアンテナの受信信号に対してフーリエ変換を施す複数のＦＦＴと、複数のＦＦＴにそれぞれ対応して設けられ、各々が複数のＦＦＴからの出力信号に基づいて伝搬路推定情報を出力する複数の伝搬路推定手段と、複数のＦＦＴからの出力信号に対して、遅延広がりの有無に応じてフィルタ処理を施す遅延波抑圧手段と、遅延波抑圧手段を通過した出力信号を合成して復調を行なう合成手段とを備える。遅延波抑圧手段は、複数の伝搬路推定手段からの伝搬路推定情報に基づいて、複数のＦＦＴからの出力信号に対する重み係数を算出する重み係数算出手段と、重み係数算出部で算出された重み係数に基づいて、遅延波を抑圧するために複数のＦＦＴからの出力信号を合成する合成手段とを含む。
【００１７】
好ましくは、複数のＦＦＴからの出力信号の各々は、サブキャリア数に応じた出力信号群に相当する。遅延波抑圧手段は、Ｋ個の遅延波を抑圧するために複数の出力信号群のうち少なくとも（Ｋ＋１）個の出力信号群で構成される複数個の互いに異なる組み合わせを選択する選択手段をさらに含む。重み係数算出部は、複数（Ｎ）の伝搬路推定手段にそれぞれ対応して設けられ、各々が、選択された少なくとも（Ｋ＋１）個の出力信号群にそれぞれ対応する伝搬路推定手段からの伝搬路推定情報に基づいて、少なくとも（Ｋ＋１）個の出力信号群に対する重み係数を算出する複数の重み付け算出ユニットを含む。合成手段は、複数の重み付け算出ユニットにそれぞれ対応して設けられ、各々が、対応する重み付け算出ユニットで算出された重み係数に基づいて、少なくとも（Ｋ＋１）個の出力信号群を合成する複数の合成ユニットを含む。
【００１８】
特に、選択手段は、複数（Ｎ）の出力信号群のうち少なくとも（Ｋ＋１）個の出力信号群で構成される互いに異なる組み合わせの中から、少なくとも（Ｋ＋１）個の出力信号群の合成信号が大きいものから複数個（Ｎ）の組み合わせを選択する。
【００１９】
好ましくは、複数の伝搬路推定手段の伝搬路推定情報に基づいて、複数のＦＦＴからの出力信号に対して、遅延広がりの有無を判定する判定部をさらに備える。
【００２０】
特に、複数の伝搬路推定手段の伝搬路推定情報に基づいて、複数のＦＦＴからの出力信号に対して、遅延広がりの有無を判定するとともに、抑圧する遅延波の個数（Ｋ）を判定する判定部をさらに備える。
【発明の効果】
【００２１】
本発明に係るダイバーシチ受信機は、直交周波数分割多重信号を受信して受信信号を出力する複数のアンテナと、受信信号に対して遅延広がりの有無に応じてフィルタ処理を施す遅延波抑圧手段を設ける。遅延波抑圧手段は、複数の伝搬路推定手段からの伝搬路推定情報に基づいて複数のアンテナからの受信信号に対する重み係数を算出する重み係数算出手段と、重み係数算出部で算出された重み係数に基づいて、受信信号の遅延波を抑圧するために複数のアンテナからの受信信号を合成する合成手段とを含む。
【００２２】
当該構成、すなわち、遅延波抑圧手段を設けることにより、伝搬路推定情報に基づいて重み係数を算出し、受信信号を合成して遅延波を抑圧する。すなわち、ガード越え遅延波が抑圧されて、ガード越え遅延波を抑圧した受信信号が後段の合成手段に入力されるため、ＭＲＣ合成を利用することが可能となり、ダイバーシチ受信機の回路規模を小さくすることが可能となる。また、ダイバーシチ受信機として、従来利用していたＭＲＣ合成に対して、アドオン的に遅延波抑圧手段を設けることによりガード越え遅延波の抑圧が可能となるため、複雑な設計変更等が不要となりコスト的にも有利である。
【発明を実施するための最良の形態】
【００２３】
以下において、本発明の実施の形態について図面を参照して詳しく説明する。なお、図中同一符号は同一または相当部分を示す。
【００２４】
（実施の形態１）
図１は、本発明の実施の形態１に従うダイバーシチ受信機１の概略機能ブロック図である。
【００２５】
図１を参照して、本発明の実施の形態１に従うダイバーシチ受信機１は、アンテナ５−１〜５−Ｎが設けられている場合が示される。そして、アンテナ５−１〜５−Ｎは、本発明の実施の形態１に従うガード越え遅延波抑圧器５０と接続される。ガード越え遅延波抑圧器５０は、アンテナ５−１〜５−Ｎから受信した受信信号の遅延広がりであるガード越え遅延波を抑圧するフィルタ処理を施した信号を出力する。
【００２６】
そして、アンテナ５−１〜５−Ｎにそれぞれ対応して設けられたＦＦＴ１０−１〜１０−Ｎに出力される。
【００２７】
そして、時間領域の信号を周波数領域の信号に戻すＦＦＴ１０−１〜１０−Ｎからの出力信号は、伝搬路推定部に出力される。
【００２８】
ＦＦＴ１０−１〜１０−Ｎにそれぞれ対応して、伝搬路推定部１５−１〜１５−Ｎ（以下、総称して伝搬路推定部１５とも称する）および等化器２０−１〜２０−Ｎ（以下、総称して等化器２０とも称する）がそれぞれ設けられる。
【００２９】
伝搬路推定部１５は、ＦＦＴから出力された出力信号に基づいて、受信信号の伝搬路の推定を行ない、等化器２０において、ＦＦＴから出力された出力信号に対して伝搬路推定値に基づいて等化処理を実行する。
【００３０】
そして、等化器２０−１〜２０−Ｎから出力された信号は、最大比合成回路（Maximum Ratio Combining：ＭＲＣ）にて合成処理されて、出力される。
【００３１】
なお、本実施の形態に従う１に従うガード越え遅延波抑圧器５０は、伝搬路推定部１５からの伝搬路推定情報の入力を受ける。
【００３２】
図２は、本発明の実施の形態１に従うガード越え遅延波抑圧器５０の機能ブロック図である。
【００３３】
図２を参照して、本発明の実施の形態１に従うガード越え遅延波抑圧器５０は、重み係数計算器５５と、合成器６０とを含む。
【００３４】
重み係数計算器５５は、遅延波抑圧器５０を活性化／非活性化するための制御信号Ａｏｎ／Ａｏｆｆの入力に基づいて動作する。制御信号Ａｏｎ／Ａｆｆは、ガード越え遅延波の有無に基づいて図示しない判定回路から出力されるものとする。
【００３５】
具体的には、伝搬路推定部１５から出力される伝搬路推定情報ｈに基づいてガード期間を越える遅延波が存在するか否かを判定し、当該判定結果に基づいて制御信号Ａｏｎ／Ａｏｆｆを出力する判定回路を設けることが可能である。
【００３６】
具体的には、制御信号Ａｏｎの入力に基づいて遅延波抑圧器５０は、活性化され、重み係数計算器５５は、伝搬路推定情報ｈに基づいて重み係数ｗを計算する。そして、計算された重み係数ｗが合成器６０に出力される。
【００３７】
合成器６０は、重み係数計算器５５により計算された重み係数ｗを受けて、アンテナから受けた受信信号ｒに対して計算された重み係数ｗを乗算して、ガード越え遅延波を抑圧した信号ｒ＃を出力する。
【００３８】
一方、制御信号Ａｏｆｆの入力に基づいて遅延波抑圧器５０は、非活性化されて、重み係数計算器５５は、予めデフォルトで定められている所定の重み係数ｗを合成器６０に出力する。
【００３９】
遅延波抑圧器５０が非活性化された場合には、合成器６０に入力された受信信号が合成されることなく、そのまま通過するような重み係数ｗが合成器６０に入力される。
【００４０】
なお、ここでは、一例として、Ｎ本のアンテナ５−１〜５−ＮからＮ個の受信信号ｒがガード越え遅延波抑圧器５０に入力される場合が示されている。また、Ｎ本のアンテナにそれぞれ対応して設けられたＮ個の伝搬路推定情報ｈが入力される。そして、重み係数計算器５５において、Ｎ個の伝搬路推定情報ｈに基づいて、Ｎ個の重み係数ｗで構成される互いに異なるＮ組の重み係数群（重み係数ベクトル）が合成器６０に出力される。そして、合成器６０において、Ｎ個の受信信号ｒが各組の重み係数群（重み係数ベクトル）に含まれているＮ個の重み係数ｗとそれぞれ乗算されて合成され、受信信号ｒ＃が出力される場合が示されている。各組の重み係数群と乗算される結果、Ｎ個の受信信号ｒ＃が出力される。したがって、ガード越え遅延波抑圧器５０を通過したＮ個の受信信号ｒ＃は、擬似的に各アンテナ５−１〜５−Ｎにおいてそれぞれ受信した信号と見なすことができる。
【００４１】
図３は、本発明の実施の形態１に従う遅延波抑圧の方式について説明する図である。
図３を参照して、本発明の実施の形態１に従う遅延波抑圧の方式は、各アンテナで受信された受信信号のガード越え遅延波に対して、アンテナ間の受信信号に適切な重み係数ｗをかけて、合成することによりガード越え遅延波のみを抑圧する方式である。
【００４２】
ここで示されるように、Ｋ個のガード越え遅延波ベクトルｖがあると仮定すると、各アンテナのガード越え遅延波ベクトルは次式で示される。
【００４３】
【数１】
2010045679.tif 000003
【００４４】
そして、各アンテナのガード越え遅延波ベクトルに基づくガード越え遅延波行列Ｖは次式で示される。
【００４５】
【数２】
2010045679.tif 000004
【００４６】
なお、ここでは、Ｎ個のアンテナまでのガード越え遅延波行列を示している。
そして、本例においては、このガード越え遅延波行列Ｖに対して重みベクトルＷを掛け合わせることにより、ガード越え遅延波が抑圧されるような重みベクトルを計算する。
【００４７】
すなわち、次式を満たす重みベクトルを計算する。
【００４８】
【数３】
2010045679.tif 000005
【００４９】
重みベクトルＷはＮ個の重み係数で構成される。そして、この重みベクトルＷをＮ個算出する。本例においては、Ｎ個の重みベクトルを一例としてＷａ１，Ｗａ２，・・・ＷａＮと表す。この重みベクトルＷａ１，Ｗａ２，・・・ＷａＮで構成される重み行列Ｘは次式で示される。
【００５０】
【数４】
2010045679.tif 000006
【００５１】
重み係数計算器５５で計算された各重みベクトルｗａ１，ｗａ２，・・・ｗａＮは、合成器６０にそれぞれ出力され、合成器６０において、Ｎ個の受信信号を合成することにより各重みベクトルに従ってガード越え遅延波が抑圧されて、ガード越え遅延波が抑圧された受信信号ｒ＃が出力される。
【００５２】
図４は、アンテナが２本の場合において、ガード越え遅延波の個数Ｋ＝１とした場合のガード越え遅延波抑圧器５０の構成を説明する図である。
【００５３】
図４を参照して、ここでは、アンテナ＃１，＃２が設けられており、アンテナ＃１，＃２にそれぞれ対応して、ＦＦＴ１０−１，１０−２，伝搬路推定部１５−１，１５−２，等化器２０−１，２０−２が設けられている場合が示されている。
【００５４】
そして、伝搬路推定部１５−１，１５−２は、伝搬路推定結果である伝搬路推定情報ｈ１，ｈ２をガード越え遅延波抑圧器５０に出力する。
【００５５】
ガード越え遅延波抑圧器５０は、伝搬路推定部１５−１，１５−２からの伝搬路推定情報の入力を受ける重み係数計算器５５と、各アンテナからの受信信号に対して重み係数計算器５５からの重み係数を乗算して、合成する合成器６０とを含む。
【００５６】
ここでは、ガード越え遅延波抑圧器５０の重み係数計算器５５は、伝搬路推定部１５−１，１５−２からの伝搬路推定情報に基づいて、２組の重み係数（ｗ11，ｗ21），（ｗ12，ｗ22）を算出する。下付きの数字は、アンテナの番号に対応して乗算する重み係数を指し示す。上付きの数字は、アンテナの番号に対応して、擬似的に出力信号ｒ＃として合成して出力する際に用いる、重み係数群（重みベクトル）の組を指し示す。
【００５７】
重み係数の算出方式は、上述した方式に従って、Ｋ＝１のガード越え遅延波を抑圧する重みベクトルＷを算出する。具体的には、アンテナ＃１，＃２のガード越え遅延波ベクトル（ｖ1，ｖ2）と、重みベクトルＷとを乗算して０となる２組の重み係数（ｗ11，ｗ21），（ｗ12，ｗ22）を算出する。
【００５８】
当該方式により、ガード越え遅延波抑圧器５０からガード越え遅延波が抑圧された出力信号ｒ＃がＦＦＴに出力され、後段の最大比合成回路（ＭＲＣ）を用いて合成処理して出力される。
【００５９】
したがって、ガード越え遅延波抑圧器５０を設けることにより、ＭＭＳＥを設けることなくＭＲＣのみを用いて合成ダイバーシチを実現することが可能であり、回路規模を縮小することが可能である。また、ダイバーシチ受信機として、従来利用していたＭＲＣ合成に対して、アドオン的に遅延波抑圧手段を設けることによりガード越え遅延波の抑圧が可能となるため、複雑な設計変更等が不要となりコスト的にも有利である。
【００６０】
なお、伝搬路推定情報ｈに基づいてガード期間を越える遅延波が存在するか否かを判定し、当該判定結果に基づいて制御信号Ａｏｎ／Ａｏｆｆを出力する判定回路を設けることが可能である旨説明したが、本構成の場合に、ガード越え遅延波を抑圧した信号に基づく伝搬路推定情報を用いる場合には、ガード越え遅延波が抑圧された後、ガード越え遅延波が存在しないと判定してしまう可能性も考えられる。したがって、例えば、一旦、遅延波が存在すると判定した場合には、機器を停止状態とするまで当該判定状態を維持するように設定しておくことも可能である。または、一定期間、当該判定状態を維持した後、リセットして再度判定する方式を採用することも可能である。また、ガード越え遅延波を抑圧しない信号に基づく伝搬路推定情報に基づいて制御信号Ａｏｎ／Ａｏｆｆを出力する判定回路を設けることも可能である。
【００６１】
なお、別の方式として、重み係数計算器５５に、Ｎ×Ｎで構成されるガード越え遅延波を抑圧するための行列（遅延波抑圧行列）を予め設けることも可能である。例えば、当該行列は、ガード越え遅延波のプロファイリング等に基づいて伝搬路推定情報ｈの入力に従って、ガード越え遅延波が抑圧されるような適切な重みベクトルが算出されるように予め値が適切に設定されているものとする。
【００６２】
したがって、上記の遅延波抑圧行列（Ｎ×Ｎ）を用いることにより、ガード越え遅延波を抑圧することも可能である。
【００６３】
なお、図２の構成においては、Ｎ本のアンテナからの受信信号に対して、ガード越え遅延波の個数Ｋとを比較した場合、Ｎ−１≧Ｋとする。以下においても同様である。
【００６４】
（実施の形態１の変形例１）
上記の実施の形態１においては、Ｋ個のガード越え遅延波に対して、Ｎ本のアンテナで受信される受信信号をそれぞれ組み合わせてガード越え遅延波を抑圧するためのＮ個の重み係数（重みベクトル）を算出する方式について説明した。
【００６５】
本発明の実施の形態１の変形例においては、Ｋ個のガード越え遅延波に対して、Ｋ＋１本のアンテナで受信される受信信号をそれぞれ組み合わせてガード越え遅延波を抑圧する方式について説明する。
【００６６】
図５は、本発明の実施の形態１の変形例１に従うガード越え遅延波抑圧器５０ａの構成を説明する図である。
【００６７】
図５を参照して、ここでは、制御信号Ａｏｎ／Ａｏｆｆに応じて活性化されるアンテナ組み合わせ選択器７０と、制御信号Ａｏｎ／Ａｏｆｆに応じて活性化されるＮ個の重み係数計算ユニット５６−１〜５６−Ｎ（以下、総称して重み係数計算ユニット５６とも称する）と、Ｎ個の合成ユニット６２−１〜６２−Ｎ（総称して合成ユニット６２とも称する）とを含む。
【００６８】
ここで、アンテナ組み合わせ選択器７０は、制御信号Ａｏｎに応じて活性化され、抑圧遅延波数Ｋの入力を受けて、アンテナからの受信信号ｒについて、ガード越え遅延波を抑圧するためにＫ＋１個の受信信号ｒで構成される互いに異なるＮ組の受信信号群を選択する。なお、抑圧遅延波数Ｋは、外部から固定的に入力されるものとする。
【００６９】
アンテナ組み合わせ選択器７０は、制御信号Ａｏｆｆに応じて非活性化され、アンテナからの受信信号ｒにそれぞれ対応してＮ個の合成ユニット６２−１〜６２−Ｎに出力する。
【００７０】
各重み係数計算ユニット５６は、制御信号Ａｏｎに応じて活性化され、選択されたＫ＋１個の受信信号の入力を受けるアンテナにそれぞれ対応して設けられた伝搬路推定部からの伝搬路推定情報ｈに基づいて重み係数ｗを計算する。具体的には、Ｋ＋１個の伝搬路推定情報ｈに基づいて、Ｋ＋１個の重み係数ｗで構成される重み係数群を算出する。
【００７１】
合成ユニット６２は、対応する重み係数計算ユニット５６で算出した重み係数ｗに基づいて、選択されたＫ＋１個の受信信号を乗算して合成して、受信信号ｒ＃を出力する。
【００７２】
各重み係数計算ユニット５６は、制御信号Ａｏｆｆに応じて非活性化され、合成ユニット６２に入力された受信信号が合成されることなく、そのまま通過するような重み係数ｗが合成ユニット６２に入力される。したがって、この場合、ガード越え遅延波抑圧器５０ａに入力された受信信号ｒと、同じ出力信号ｒ＃がガード越え遅延波抑圧器５０ａから出力される。
【００７３】
図６は、本発明の実施の形態１の変形例１に従う遅延波抑圧の方式について説明する図である。
【００７４】
図６を参照して、本発明の実施の形態１の変形例１に従う遅延波抑圧の方式は、上記で説明したように各アンテナで受信された受信信号のガード越え遅延波に対して、アンテナ間の受信信号に適切な重み係数ｗをかけて、合成することによりガード越え遅延波のみを抑圧する方式である。
【００７５】
ここで示されるように、Ｋ個のガード越え遅延波ベクトルｖがあると仮定すると、各アンテナのガード越え遅延波ベクトルは、上述した式（１）で示される。
【００７６】
そして、Ｋ＋１本のアンテナのガード越え遅延波ベクトルに基づくガード越え遅延波行列Ｖは次式で示される。
【００７７】
【数５】
2010045679.tif 000007
【００７８】
なお、ここでは、Ｋ＋１個のアンテナまでのガード越え遅延波行列を示している。
そして、本例においては、このガード越え遅延波行列Ｖに対して重みベクトルＷを掛け合わせることにより、ガード越え遅延波が抑圧されるような重みベクトルを計算する。
【００７９】
すなわち、上述した式（３）を満たす重みベクトルを計算する。
重みベクトルＷは、次式で示される。
【００８０】
【数６】
2010045679.tif 000008
【００８１】
すなわち、重みベクトルＷは、Ｋ＋１個の重み係数ｗとして構成される。
図７は、Ｋ＋１個の重み係数で構成される重みベクトルを展開した場合を説明する図である。
【００８２】
図７で示されるように、ガード越え遅延波行列Ｖに重みベクトルＷを乗算した値が０となるような重みベクトルＷを算出する必要がある。
【００８３】
【数７】
2010045679.tif 000009
【００８４】
ここで示されるように、Ｋ＋１個の重み係数ｗを変数とするＫ個の連立方程式となるため解は不定となる。
【００８５】
そこで、本実施の形態においては、合成前と合成後の信号電力が等しくなるような次式の条件を付加する。
【００８６】
【数８】
2010045679.tif 000010
【００８７】
当該式に基づき、Ｋ＋１個の重み係数ｗである重みベクトルＷを算出することが可能となる。
【００８８】
本例においては、アンテナ組み合わせ選択器７０において、抑圧遅延波数Ｋに応じて、Ｎ本のアンテナの受信信号のうち、Ｎ組の互いに異なる（Ｋ＋１）個の受信信号が選択される。
【００８９】
そして、選択された（Ｋ＋１）個の受信信号が合成ユニット６２に出力される。
また、選択された（Ｋ＋１）個の受信信号の入力を受けるアンテナにそれぞれ対応して設けられた伝搬路推定部からの伝搬路推定情報が重み係数計算ユニット５６に出力される。
【００９０】
各重み係数計算ユニット５６において、互いに異なる（Ｋ＋１）個の受信信号に対応する伝搬路推定情報が入力されて、上記の方式に従って重みベクトルＷが算出される。
【００９１】
そして、合成ユニット６２において、重み係数計算ユニット５６で算出された重みベクトルに従って入力された（Ｋ＋１）個の受信信号が合成されて受信信号ｒ＃が出力される。
【００９２】
本構成においては、抑圧遅延波数Ｋに応じた重み係数計算ユニット５６における重み係数計算および合成ユニット６２における合成処理が実行され、Ｋ＋１個の重み係数で構成される重みベクトルが算出されるため実施の形態１の構成よりも計算量を減らすことが可能である。これに伴い、ハード規模を縮小して部品点数を少なくすることができる。
【００９３】
なお、上記においては、Ｋ個のガード越え遅延波ベクトルがあると仮定した場合に、Ｋ＋１個の重み係数を算出する場合について説明したが、Ｋ個のガード越え遅延波ベクトルがあると仮定した場合に、同様の方式に従ってＫ＋１個以上の重み係数を算出することも可能である。
【００９４】
（実施の形態１の変形例２）
本発明の実施の形態１の変形例２に従う構成においては、アンテナ組み合わせ選択器において最適な選択を実行する場合について説明する。
【００９５】
図８は、本発明の実施の形態１の変形例２にガード越え遅延波抑圧器５０ｂの構成を説明する図である。
【００９６】
図８を参照して、本発明の実施の形態１の変形例２に従うガード越え遅延波抑圧器５０ｂは、ガード越え遅延波抑圧器５０ａと比較して、アンテナ組み合わせ選択器７０をアンテナ組み合わせ選択器７０＃に置換した点が異なる。具体的には、アンテナ組み合わせ選択器７０＃は、仮合成ユニット６５および組合わせ判断部６６が内部に設けられている点で異なる。その他の点については同様であり、その詳細な説明は繰り返さない。
【００９７】
仮合成ユニット６５は、Ｎ個の受信信号の中からのＫ＋１個の受信信号の互いに異なる全ての組み合わせについて、重みベクトルを乗算した仮合成を行う。
【００９８】
また、組み合わせ判断部６６は、Ｎ個の受信信号の中からのＫ＋１個の受信信号の互いに異なる全ての組み合わせについて、仮合成ユニット６５で仮合成された出力信号の信号電力が大きくなる最適な組み合わせとなるように組み合わせを決定する。
【００９９】
本例においては、抑圧遅延波数Ｋに応じて、Ｎ本のアンテナの受信信号のうち、Ｎ組の互いに異なる（Ｋ＋１）個の受信信号が選択される。
【０１００】
そして、本例においては、アンテナ組み合わせ選択器７０において、Ｎ個の受信信号の中からのＫ＋１個の受信信号の組み合わせについて、合成後の信号電力が大きくなる最適な組み合わせを選択することにより、Ｓ／Ｎを向上させることができる。
【０１０１】
本例においては、最適な組み合わせを選択する前に、仮合成ユニット６５における仮合成を行い、組み合わせ判断部６６において、仮合成後の信号電力が大きくなる最適な組み合わせを判断する。
【０１０２】
仮合成ユニット６５における仮合成後の信号ベクトルｒ＃は、次式で示される。
【０１０３】
【数９】
2010045679.tif 000011
【０１０４】
ここで、Ｎ個の受信信号の中からＫ＋１個だけ選ぶような、重みベクトルＷａの全ての組み合わせのパターンを列挙する。
【０１０５】
一例として、Ｎ＝４、Ｋ＝１の場合についての組み合わせ候補は、NＣ(K+1)＝4Ｃ2＝６通りとなる。
【０１０６】
具体的には、重みベクトルＷａ１〜Ｗａ６を候補として考える。
重みベクトルＷを構成する重み係数は、次式の如く示される。
【０１０７】
【数１０】
2010045679.tif 000012
【０１０８】
そして、上記の６つの重みベクトルＷａについて、それぞれ、次式の如く仮合成後の出力信号ｒ＃を計算する。
【０１０９】
【数１１】
2010045679.tif 000013
【０１１０】
仮合成後の信号エネルギＥは、次式で示される。
【０１１１】
【数１２】
2010045679.tif 000014
【０１１２】
なお、当該式は期待値を求める式であり、時間平均に置き換えた式で近似して算出する。
【０１１３】
そして、６つの仮合成後の出力信号の中から信号電力の高いものを４つ選び出し、最終的な重みベクトルＷを算出する。
【０１１４】
当該式に基づいて、信号エネルギＥをそれぞれ比較することにより、どの受信信号群の信号レベルが大きいかを判定することが可能となり、信号レベルが大きいものから選択することが可能である。
【０１１５】
具体的には、組み合わせ判断部６６において、それぞれの組み合わせに従う仮合成ユニット６５からの仮合成後の出力信号を受けて信号エネルギを比較する。そして、信号レベルが大きい組み合わせのＫ＋１個の信号を重み係数計算ユニット５６に出力する。
【０１１６】
例えば、上述の例を用いて６つの重みベクトルＷａ１〜Ｗａ６を用いた場合のそれぞれの出力信号の信号エネルギを信号エネルギＥ１〜Ｅ６とする。
【０１１７】
そして、信号エネルギがＥ２＞Ｅ１＞Ｅ４＞Ｅ６＞Ｅ５＞Ｅ３であるとする。
この場合、信号エネルギの大きいものは、Ｅ２，Ｅ１，Ｅ４，Ｅ６である。
【０１１８】
したがって、信号エネルギが大きくなる重みベクトルは、重みベクトルＷａ２，Ｗａ１，Ｗａ４，Ｗａ６である。
【０１１９】
それゆえ、重みベクトルＷで構成される重み行列Ｘは、次式のように表される。
【０１２０】
【数１３】
2010045679.tif 000015
【０１２１】
すなわち、組み合わせ判断部６６の判断結果に基づいて、アンテナ組み合わせ選択器７０から各重み係数計算ユニット５６に出力されるＮ個の受信信号の中からＫ＋１個選択して出力する信号について、信号エネルギが大きくなる重み係数ベクトルが重み係数計算ユニット５６で算出される組み合わせとなるように出力される。
【０１２２】
これにより、上述したように、アンテナ組み合わせ選択器７０において、合成後の信号電力が大きくなる最適な組み合わせを選択することにより、Ｓ／Ｎを向上させることができる。
【０１２３】
（実施の形態１の変形例３）
図９は、本発明の実施の形態１の変形例３に従うガード越え遅延波抑圧器５０ｃの構成を説明する図である。
【０１２４】
図９を参照して、本発明の実施の形態１の変形例２に従うガード越え遅延波抑圧器５０ｃは、ガード越え遅延波抑圧器５０ａと比較して、遅延波抑圧判定器８０をさらに設けた点が異なる。その他の点については同様であり、その詳細な説明は繰り返さない。
【０１２５】
遅延波抑圧判定器８０は、Ｎ個の伝搬路推定情報ｈの入力に基づいて、ガード越え遅延波の個数Ｋおよび活性化／非活性化するための制御信号Ａｏｎ／Ａｏｆｆを出力するものである。
【０１２６】
図５の構成においては、外部からの固定的な入力によりガード越え遅延波の個数Ｋを入力する場合について説明したが、本例においては、Ｎ個の伝搬路推定情報ｈの入力に基づいて、ガード越え遅延波の個数Ｋを判定する方式であり、抑圧するガード越え遅延波数を可変にすることが可能である。
【０１２７】
したがって、重み係数の計算処理および合成処理の負荷をガード越え遅延波数に応じて調整することが可能であるため効率的なガード越え遅延波抑圧器を実現することが可能である。
【０１２８】
なお、本願構成においては、遅延波抑圧判定器８０は、ガード越え遅延波抑圧器５０ｃの内部に設けられている場合について説明しているが、特にこれに限られず、ガード越え遅延波抑圧器５０ｃの外部に設けることも可能である。
【０１２９】
また、本構成においては、遅延波抑圧判定器８０において、伝搬路推定情報ｈに基づいて、ガード越え遅延波の個数Ｋ、および活性化／非活性化のための制御信号Ａｏｎ／Ａｏｆｆを出力する場合について説明しているが、伝搬路推定情報ｈに基づいてガード越え遅延波の個数Ｋを算出する回路と、伝搬路推定情報ｈに基づいて制御信号Ａｏｎ／Ａｏｆｆを出力する回路とを別々に設けることも可能である。
【０１３０】
（実施の形態２）
上記の実施の形態１においては、ＦＦＴよりも前にガード越え遅延波抑圧器を設ける構成について説明したが、ＦＦＴよりも後にガード越え遅延波抑圧器を設けることも可能である。
【０１３１】
図１０は、ＦＦＴよりも前段で受信信号に対して重み係数を乗算して合成する回路と等価な回路を説明する図である。
【０１３２】
図１０を参照して、ここでは、上段において、ＦＦＴよりも前段で例えばアンテナ５−１の受信信号ｒに対して重み係数ｗ1を乗算し、アンテナ５−２の受信信号ｒに対して重み係数ｗ2を乗算して合成した合成信号をＦＦＴによりサブキャリア毎の周波数信号にそれぞれ変換した場合が示されている。
【０１３３】
下段において、アンテナ５−１の受信信号に対してＦＦＴによりサブキャリア毎の周波数信号に変換した後、重み係数ｗ1を乗算し、アンテナ５−２の受信信号に対してＦＦＴによりサブキャリア毎の周波数信号に変換した後、重み係数ｗ2を乗算し、合成した場合が示されており、上段の構成と下段の構成とでは、等価であることが示されている。すなわち、受信信号ｒに対して重み係数を乗算して合成する場合と、重み係数を各サブキャリア毎に乗算して、各サブキャリア毎に合成した場合とでは等価であることが示されている。
【０１３４】
図１１は、本発明の実施の形態２に従うダイバーシチ受信機１＃の概略機能ブロック図である。
【０１３５】
図１１を参照して、本発明の実施の形態２に従うダイバーシチ受信機１＃は、実施の形態１で説明したダイバーシチ受信機１と比較して、ガード越え遅延波抑圧器５０の配置が異なる。
【０１３６】
具体的には、ガード越え遅延波抑圧器５０と置換して、ガード越え遅延波抑圧器５０＃をＦＦＴ１０と等化器２０との間に設ける。
【０１３７】
ガード越え遅延波抑圧器５０＃は、ＦＦＴ１０−１〜１０−Ｎからのサブキャリア毎の出力信号および伝搬路推定部１５−１〜１５−Ｎからの伝搬路推定情報の入力を受ける。
【０１３８】
図１２は、本発明の実施の形態２に従うガード越え遅延波抑圧器５０＃の機能ブロック図である。
【０１３９】
図１２を参照して、本発明の実施の形態２に従うガード越え遅延波抑圧器５０＃は、重み係数計算器５５＃と、合成器６０＃とを含む。
【０１４０】
重み係数計算器５５＃は、遅延波抑圧器５０を活性化／非活性化するための制御信号Ａｏｎ／Ａｏｆｆの入力に基づいて動作する。
【０１４１】
制御信号Ａｏｎ／Ａｆｆは、ガード越え遅延波の有無に基づいて図示しない判定回路から出力されるものとする。具体的には、伝搬路推定情報ｈに基づいてガード期間を越える遅延波が存在するか否かを判定し、当該判定結果に基づいて制御信号Ａｏｎ／Ａｏｆｆを出力する判定回路を設けることが可能である。
【０１４２】
制御信号Ａｏｎの入力に基づいて遅延波抑圧器５０＃は活性化され、重み係数計算器５５は、伝搬路推定情報ｈに基づいて重み係数ｗを計算する。そして、計算された重み係数ｗが合成器６０＃に出力される。
【０１４３】
合成器６０＃は、重み係数計算器５５＃により計算された重み係数を受けて、ＦＦＴ１０−１〜１０−Ｎからのサブキャリア毎の出力信号に対して計算された重み係数ｗを乗算して、ガード越え遅延波を抑圧した信号を出力する。なお、ここでは、サブキャリア数をｍとしている。
【０１４４】
一方、制御信号Ａｏｆｆの入力に基づいてガード越え遅延波抑圧器５０＃は、非活性化されて、重み係数計算器５５＃は、予めデフォルトで定められている所定の重み係数ｗを合成器６０＃に出力する。
【０１４５】
遅延波抑圧器５０＃が非活性化された場合には、合成器６０＃に入力されたサブキャリア毎の出力信号が合成されることなく、そのまま通過するような重み係数ｗが合成器６０＃に入力される。
【０１４６】
なお、ここでは、一例として、ＦＦＴ１０−１〜１０−Ｎの各々からサブキャリア数ｍの出力信号がガード越え遅延波抑圧器５０＃に入力される場合が示されている。また、ＦＦＴ１０−１〜１０−Ｎにそれぞれ対応して設けられた伝搬路推定部からＮ個の伝搬路推定情報ｈが入力される場合が示されている。
【０１４７】
そして、重み係数計算器５５＃において、Ｎ個の伝搬路推定情報ｈに基づいて、Ｎ個の重み係数ｗで構成される互いに異なるＮ組の重み係数群が合成器６０＃に出力される。そして、合成器６０＃において、各組の出力信号に含まれるサブキャリア毎に各組の重み係数群に含まれているＮ個の重み係数ｗとそれぞれ乗算されて合成されて出力される場合が示されている。各組の重み係数群と乗算される結果、ガード越え遅延波を抑制したサブキャリア数ｍで構成されるＮ組の信号が出力される。
【０１４８】
したがって、ガード越え遅延波抑圧器５０＃を通過したＮ組のＦＦＴ１０−１〜１０−Ｎの出力信号は、擬似的に各アンテナ５−１〜５−Ｎにおいて受信したサブキャリア数ｍの信号と見なすことができる。
【０１４９】
なお、本例においては、実施の形態１に従う図１の構成のガード越え遅延波抑圧器５０をガード越え遅延波抑圧器５５に置換した場合について説明したが、特にこれに限られず、実施の形態１の変形例１〜３で説明したガード越え遅延波抑圧器の構成においても、同様に置換可能である。
【０１５０】
なお、本例においては、固定受信の場合に、ガード越え遅延波行列Ｖと、重みベクトルＷとを乗算した積が０となる重みベクトルを算出する方式について説明したが、移動受信の場合においては、ガード越え遅延波が時間により変化することになり、重みベクトルも時間により変化させる必要がある。
【０１５１】
移動受信の場合には、次式を満たすように重みベクトルを算出しても良い。
【０１５２】
【数１４】
2010045679.tif 000016
【０１５３】
ここで、Ｖ（ｔ），Ｗ（ｔ）は、時間に依存して変化する遅延波行列および重みベクトルを指し示している。
【０１５４】
上式を算出する手法としては、ＬＭＳ（Least Mean Square）や、ＮＬＭＳ（Normalized LMS）、ＲＬＳ（Recursive Least Squares）アルゴリズムを適用することにより算出することも可能である。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１５６】
【図１】本発明の実施の形態１に従うダイバーシチ受信機１の概略機能ブロック図である。
【図２】本発明の実施の形態１に従うガード越え遅延波抑圧器５０の機能ブロック図である。
【図３】本発明の実施の形態１に従う遅延波抑圧の方式について説明する図である。
【図４】アンテナが２本の場合において、ガード越え遅延波の個数Ｋ＝１とした場合のガード越え遅延波抑圧器５０の構成を説明する図である。
【図５】本発明の実施の形態１の変形例１に従うガード越え遅延波抑圧器５０ａの構成を説明する図である。
【図６】本発明の実施の形態１の変形例１に従う遅延波抑圧の方式について説明する図である。
【図７】Ｋ＋１個の重み係数で構成される重みベクトルを展開した場合を説明する図である。
【図８】本発明の実施の形態１の変形例２にガード越え遅延波抑圧器５０ｂの構成を説明する図である。
【図９】本発明の実施の形態１の変形例３に従うガード越え遅延波抑圧器５０ｃの構成を説明する図である。
【図１０】ＦＦＴよりも前段で受信信号に対して重み係数を乗算して合成する回路と等価な回路を説明する図である。
【図１１】本発明の実施の形態２に従うダイバーシチ受信機１＃の概略機能ブロック図である。
【図１２】本発明の実施の形態２に従うガード越え遅延波抑圧器５０＃の機能ブロック図である。
【符号の説明】
【０１５７】
１，１＃  ダイバーシチ受信機、５−１〜５−Ｎ  アンテナ、１０−１〜１０−Ｎ  ＦＦＴ  １５−１〜１５−Ｎ  伝搬路推定部、２０−１〜２０−Ｎ  等化器、３０  ＭＲＣ、５０，５０ａ，５０ｂ，５０ｃ，５０＃  ガード越え遅延波抑圧器、５５，５５＃  合成器、５６−１〜５６−Ｎ  重み係数計算ユニット、６０，６０＃  合成器、６２−１〜６２−Ｎ  合成ユニット、７０  アンテナ組み合わせ選択器。
【図１】
2010045679.tif 000017
【図２】
2010045679.tif 000018
【図３】
2010045679.tif 000019
【図４】
2010045679.tif 000020
【図５】
2010045679.tif 000021
【図６】
2010045679.tif 000022
【図７】
2010045679.tif 000023
【図８】
2010045679.tif 000024
【図９】
2010045679.tif 000025
【図１０】
2010045679.tif 000026
【図１１】
2010045679.tif 000027
【図１２】
2010045679.tif 000028